(57)【特許請求の範囲】
【請求項１】
固体撮像素子によって撮像し、光電変換してアナログ画像データを得る撮像機能と、前記アナログ画像データをアナログ−デジタル変換してデジタル画像データを作成し記録媒体に記録するデジタル画像データ記録機能と、を備えたデジタルカメラであって、
前記デジタル画像データをＪＰＥＧ形式で圧縮してＪＰＥＧファイル構造で前記記録媒体に記録する圧縮画像記録制御手段と、
前記デジタル画像データを、前記デジタルカメラのモニタに再生表示する上で必要な処理がなされていない未処理状態で前記記録媒体に記録する生画像記録制御手段と、
前記生画像記録制御手段を用いてデジタル画像データを前記未処理状態で前記記録媒体に記録する際に、併せて前記圧縮画像記録制御手段を用いて得られる前記ＪＰＥＧ形式で圧縮した圧縮画像データをモニタ再生専用として前記ＪＰＥＧファイル構造で記録する再生画像記録制御手段と、
を有するデジタルカメラ。
【請求項２】
前記再生画像記録制御手段で記録されたモニタ再生専用の圧縮画像データは、前記生画像記録制御手段を用いて作成された未処理状態のデジタル画像データを記録するために設定された領域内の一部に記録することを特徴とする請求項１記載のデジタルカメラ。
【請求項３】
前記モニタ再生専用の圧縮画像データは、最も解像度の低い画素数の圧縮を施すことを特徴とする請求項１又は請求項２記載のデジタルカメラ。
【発明の詳細な説明】
【０００１】
【発明の属する技術分野】
本発明は、固体撮像素子によって撮像し、光電変換してアナログ画像データを得る撮像機能と、前記アナログ画像データをアナログ−デジタル変換してデジタル画像データを作成し記録媒体に記録するデジタル画像データ記録機能と、を備えたデジタルカメラに関するものである。
【０００２】
【従来の技術】
従来、デジタルカメラでは、ＣＣＤ（Charge Coupled Device）を用い、静止画等を撮影すると、その画像データはアナログ−デジタル変換された後、予め設定された圧縮形式（例えば、ＪＰＥＧ）によって圧縮した状態でメモリカード等の記録媒体に記録して保存する。
【０００３】
圧縮保存された画像データ（以下、ＪＰＥＧデータという）は、デジタルカメラ上の液晶モニタへの再生時には伸長されて表示される。また、インデックス画像等を表示する場合には、予めＪＰＥＧ圧縮画像とは別にサムネイル画像を準備しておき、これを読み出すことで、読出し処理時間の短縮化を図っている。
【０００４】
デジタルカメラは、容易に外部制御装置（パソコン）との接続が可能であり、前記記録媒体に記録された画像データをパソコン上に取り込み、様々な加工を加えた状態で、プリントアウトしたりすることができるため、近年急速に普及している。
【０００５】
ここで、特にプロユースとして、デジタルカメラで撮影した画像を業務として適用することも多くなってきている。この場合、高画質で撮影された画像が一度圧縮されると、圧縮率にもよるが、本来撮影したときの画像データに比べて画質等が低下する場合がある。
【０００６】
そこで、従来では、前記圧縮画像記録制御機能とは別に、撮影した画像をそのまま、すなわち生画像データ（以下、ＣＣＤ−ｒａｗデータ）を記録媒体に記録しておき、パソコン上にこのＣＣＤ−ｒａｗを取り込むことができるように、生画像記録制御機能を持ったデジタルカメラが提案されている（特開平６−９０４３５号公報、特開平１１−２６１９３３号公報参照）。
【０００７】
上記先行技術で開示されているように、ＣＣＤ−ｒａｗデータは、通常のＪＰＥＧデータと異なり、デジタルカメラの液晶モニタに再生表示する上で必要な処理がなされていないため、ＣＣＤ−ｒａｗデータの再生時には補間ＡＥ、ＡＷＢ、ガンマ調整等の必要な処理を全て行わなければならず、時間を要する。このため、デジタルカメラ上の再生、コマ送りが快適に行われなくなり、ユーザに不快感を与えることになる。
【０００８】
これを解消するために、ＣＣＤ−ｒａｗデータから専用のサムネイル画像を生成し、元のＣＣＤ−ｒａｗデータと共に記録媒体に記録しておくことが提案されているが、サイムネイルを生成するための処理がデジタルカメラの制御の複雑化を招き、他に処理速度が負担を強いられる結果となる。
【０００９】
【発明が解決しようとする課題】
本発明は上記事実を考慮し、撮影した画像データを生画像データとして記録媒体に記録する生画像記録制御機能を適用したときに、併せて圧縮画像記録制御機能を適用して圧縮画像データを再生時の画像データ用として作成しておくことで、画像再生時の制御負担を軽減することができるデジタルカメラを得ることが目的である。
【００１０】
【課題を解決するための手段】
請求項１に記載の発明は、固体撮像素子によって撮像し、光電変換してアナログ画像データを得る撮像機能と、前記アナログ画像データをアナログ−デジタル変換してデジタル画像データを作成し記録媒体に記録するデジタル画像データ記録機能と、を備えたデジタルカメラであって、前記デジタル画像データをＪＰＥＧ形式で圧縮してＪＰＥＧファイル構造で前記記録媒体に記録する圧縮画像記録制御手段と、前記デジタル画像データを、前記デジタルカメラのモニタに再生表示する上で必要な処理がなされていない未処理状態で前記記録媒体に記録する生画像記録制御手段と、前記生画像記録制御手段を用いてデジタル画像データを前記未処理状態で前記記録媒体に記録する際に、併せて前記圧縮画像記録制御手段を用いて得られる前記ＪＰＥＧ形式で圧縮した圧縮画像データをモニタ再生専用として前記ＪＰＥＧファイル構造で記録する再生画像記録制御手段と、を有している。
【００１１】
請求項１記載の発明によれば、モニタ再生する場合に、未処理状態のデジタル画像データを用いると、モニタ再生するための処理（補間ＡＥ、ＡＷＢ、ガンマ調整等）が必要となるが、この未処理状態のデジタル画像データと共に圧縮画像データをモニタ再生専用として記録しておけば、短時間で再生ができ、制御に負担をかけることがない。
【００１２】
なお、ここでいう未処理状態のデジタル画像データとは、相関２重サンプリング後、アナログで色フィルタの感度補正して、Ａ／Ｄ後記録したデータ、ダーク（黒）データを補正後記録したデータ、ホワイトバランス後色フィルタの配列状態のまま記録したデータの少なくとも１つを含む。
【００１３】
請求項２に記載の発明は、前記請求項１に記載の発明において、前記再生画像記録制御手段で記録されたモニタ再生専用の圧縮画像データは、前記生画像記録制御手段を用いて作成された未処理状態のデジタル画像データを記録するために設定された領域内の一部に記録することを特徴している。
【００１４】
請求項２に記載の発明によれば、記録媒体に画像データを記録する場合、それぞれの撮影画像毎に領域を設けるのが一般的である。このとき、モニタ再生専用の圧縮画像データを、未処理状態のデジタル画像データを記録するために設けた領域の一部に格納しておけば、別途ファイルとして構築する必要がなく、例えば、ＰＣ（パソコン）等に画像取り込む際に紛らわしくなったり、関連性を崩れたりするような不具合がない。
【００１５】
請求項３に記載の発明は、前記請求項１又は請求項２に記載の発明において、前記モニタ再生専用の圧縮画像データは、最も解像度の低い画素数の圧縮を施すことを特徴としている。
【００１６】
請求項３に記載の発明によれば、モニタ再生専用の圧縮画像データは、モニタ上で確認できればよく、また一般的にモニタサイズに小さいため、最も解像度の低い画素数の圧縮を施すことで、モニタでの視認性を損なうことなく、かつ制御の負担を軽減することができる。
【００１７】
【発明の実施の形態】
図１に本実施の形態に係るデジタルカメラ１０における制御系が示されている。デジタルメラ１０には、撮像部１８が配設されている。撮像部１８は、レンズ１８Ａ、メカニカル・シャッタ及び絞り（図示省略）が配設され、レンズ１８Ａから入射した光を、メカニカル・シャッタが開放しているときに、絞りを介して、ＣＣＤ１８Ｂに入射させる構成である。
【００１８】
また、デジタルカメラ１０にはストロボ１２が設けられ、必要に応じて、ストロボ制御部１４の制御により、手動又は自動で発光するようになっている。
【００１９】
デジタルカメラ１０の前記撮像部１８、ストロボ制御部１４を含む各制御デバイスは、バス１６によって接続され、ＣＰＵ２０によってその動作が制御されるようになっている。各制御デバイスは、バッテリ２２からの電源が供給され、動作可能となっている。
【００２０】
バス１６には、制御デバイスとして、システムメモリ（ＲＡＭやＲＯＭ）２４、不揮発性メモリ２６、タイマ機能部２８、カレンダ／時計機能部３０がそれぞれ接続されている。
【００２１】
また、バス１６には、Ｉ／Ｏポート３２が接続され、このＩ／Ｏポート３２には、デジタルカメラ１０の筐体３４（図２参照）に取り付けられる操作・表示系３６からの信号の入出力がなされる。
【００２２】
図２に示される如く、デジタルカメラ１０の筐体３４の裏面側（前記撮像部１８が配設された側とは反対側）には、液晶モニタ（ＬＣＤ）３８が配設されている。このＬＣＤ３８の上部は、前記操作・表示系の一部である、コマ番号表示部４０が設けられ、例えば、７セグメント液晶表示によって、撮影コマ番号が表示されるようになっている。
【００２３】
また、操作・表示系として、筐体３４の裏面側におけるＬＣＤ３８の右側には、前記ＬＣＤ３８上に表示される画像のコマ切り替え、項目選択等に適用される円形の上下左右キー４２が配設されている。この円形の上下左右キー４２の軸線を上下左右に傾斜することで、それぞれに傾斜させたときに異なるスイッチの接点が切り替わり、当該切り替え信号が前記Ｉ／Ｏ３２（図１参照）に入力されるようになっている。
【００２４】
この上下左右キー４２の下部には、縦方向に上からメニューボタン４４、実行ボタン４６、取消ボタン４８が配列されている。また、筐体３４の上面には、レリーズボタン５０とモード設定ダイヤル５２とが設けられている。
【００２５】
モード設定ダイヤル５２とメニューボタン４４とが操作されると、ＬＣＤ３８上には、例えば、図３に示される如く、各種設定を行うためのセットアップ画面５４が表示されるようになっている。
【００２６】
実行ボタン４６は、上記セットアップ画面５４上で、前記上下左右キー４２による機能選択後の決定時に操作され、取消ボタン４８は、当該決定した機能のキャンセルの際に操作される。
【００２７】
図１に示される如く、バス１６には、カードＩ／Ｆ５６を介して、記録媒体としてのメモリカード５８が着脱可能なメモリカードスロット６０が接続されている。前記撮像部１８で撮影された画像データは、このメモリカードスロット６０に装填されたメモリカード５８に記録されることになる。
【００２８】
ここで、本実施の形態では、メモリカード５８への画像データの記録モードとして、ＪＰＥＧ形式で圧縮されたＪＰＥＧデータを記録するＪＰＥＧ記録制御機能と、圧縮を施さない生画像データ（ＣＣＤ−ｒａｗデータ）を記録するＣＣＤ−ｒａｗ記録制御機能とが設定されている。
【００２９】
ＪＰＥＧ記録制御機能によってメモリカード５８に記録されるファイル構造は、図４に示される如く、Ｔａｇ情報領域６２、サムネイル領域６４、主画像領域６６とに分類されている。なお、上記各領域は、一般的なＪＰＥＧファイル構造と同様であるので詳細な説明は省略する。
【００３０】
これに対して、ＣＣＤ−ｒａｗ記録制御機能によってメモリカード５８に記録されるファイル構造は、図５に示される如く、ヘッダブロック領域６８、表示用画像ブロック領域７０、ＣＣＤ−ｒａｗ画像ブロック領域７４とに分類されている。
【００３１】
ヘッダブロック領域６８は、メーカー識別子格納部７６、フォーマット識別子格納部７８、フィーマットバージョン格納部８０、互換性コード格納部８２、機種識別子格納部８４、機種バージョン格納部８６、表示データオフセット格納部８８、表示画像データ長格納部９０、再生パラメータセットオフセット格納部９２、再生パラメータセット長格納部９４、ＣＣＤ−ｒａｗデータオフセット格納部９６、ＣＣＤ−ｒａｗデータ長格納部９８に分類されている。
【００３２】
表示用画像ブロック領域７０には、前記ＪＰＥＧファイル構造がそのまま格納されており、その詳細は、Ｔａｇ情報領域６２、サムネイル領域６４、表示画像領域６６とに分類されている。
【００３３】
すなわち、デジタルカメラ１０のＬＣＤ３８上で画像を再生表示する場合には、この表示用画像ブロック領域７０に格納された、ＪＰＥＧ画像データ（この場合は、ＶＧＡ（６４０×４８０画素））又はサムネイル画像データが読み出されるようになっている。また、ＣＣＤ−ｒａｗ画像ブロック領域７４は、再生パラメータセット格納部１００と、ＣＣＤ−ｒａｗデータ格納部１０２とに分類されている。このＣＣＤ−ｒａｗデータ格納部１０２に格納された画像データが、撮影された生画像データとなる。
【００３４】
前記撮像部１８に入力された信号は、信号処理部１０４に送出され、相関２重サンプリング等のノイズ低減処理が施されると共に、ゲインコントロールがなされ、Ａ／Ｄ変換部１０６へ送出される。
【００３５】
Ａ／Ｄ変換部１０６でＡ／Ｄ変換された画像データは、ＣＰＵ２０からの指示に応じて、圧縮／伸長部１０８へ送られて圧縮処理（ＪＰＥＧ）がなされるか或いはそのまままの状態でカードＩ／Ｆ５６を介してメモリカードスロット６０へ送られるようになっている。
【００３６】
メモリカード５８に記録された画像データは、ＣＰＵ２０からの再生表示指示に基づいて読み出され、フレームメモリ１１０に格納され、ＬＣＤ制御部１１２の制御により、ＬＣＤ１２に表示される。なお、このとき、ＬＣＤ１１２には、ＯＳＤ（オンスクリーンディスプレイ部１１４によって制御される、当該画像データに基づく画像表示と共に文字やキャラクタデータ等が重ねて表示されるようになっている。
【００３７】
なお、バス１６には、外部Ｉ／Ｆ１１６が接続され、コネクタ１１８を介してパソコン等の外部制御装置（以下ＰＣ１２０という）と直接接続することが可能となっており、このＰＣ１２０に前記メモリカード５８に記録した画像データを伝送することができるようになっている。
【００３８】
以下に本実施の形態の作用を説明する。
【００３９】
デジタルカメラ１０で撮影を行なう前に、モード設定ダイヤル５２を操作してセットアップ画面５４をＬＣＤ３８に表示する。
【００４０】
セットアップ画面により、撮影の条件を設定する。まず、上下左右キー４２によって記録モードを選択（反転表示）し、実行ボタンを操作すると、記録モードの選択が可能となる。記録モードの項目では、図３に示される如く、ＪＰＥＧ／ＦＩＮＥ、ＪＰＥＧ／ＢＡＳＩＣ及びＣＣＤ−ｒａｗというモードが設定されている。
【００４１】
図３ではＪＰＥＧ／ＦＩＮＥ、ＪＰＥＧ／ＢＡＳＩＣ、ＣＣＤ−ｒａｗが表示され、上下左右キー４２によって選択するべき記録モードを選択（反転表示）し、実行ボタン４６を操作する。
【００４２】
同様に、ＪＰＥＧ画素数、シャープネス、ビープ音の項目を必要に応じて選択し、それぞれ設定する。
【００４３】
撮影モードでは、ＬＣＤ３８上に撮像部１８で撮影されているプレビューが表示され、所定の画角が決まるとレリーズボタン５０が操作され、撮影が実行される。
【００４４】
記録モードがＪＰＥＧ／ＦＩＮＥ又はＪＰＥＧ／ＢＡＳＩＣの場合、撮像部１８で撮像されたデータは、信号処理部１０４へ送出され、相関２ジュウサンプリングによるノイズ低減処理、ゲインコントロール等の処理がなされた後、Ａ／Ｄ変換されて、デジタル画像データを生成する。
【００４５】
その後、圧縮／伸長部１０８において、デジタル画像データを圧縮し、メモリカード５８に記録する。
【００４６】
一方、記録モードがＣＣＤ−ｒａｗの場合、撮像部１８で撮像されたデータは、信号処理部１０４で相関２重サンプリング後、アナログで色フィルタの感度補正をしてＡ／Ｄ変換部１０６でのＡ／Ｄ変換のみがなされた状態、すなわち生画像データがメモリカード５８に記録される。
【００４７】
また、併せて、このＣＣＤ−ｒａｗの記録モードの場合には、前記ＪＰＥＧ／ＦＩＮＥ、ＪＰＥＧ／ＢＡＳＩＣと同様の処理が実行され、ＬＣＤ３８に再生するための再生専用の画像データとして圧縮された画像データ（ＶＧＡ）が生成され、ＣＣＤ−ｒａｗの格納領域の一部に格納される（図５に示す表示用画像ブロック領域７０参照）。
【００４８】
再生モードでは、インデックスモードが選択された場合は、記録モードがいずれの場合であっても、メモリカード５８に記録された各画像領域のサムネイル画像領域６４からからサムネイル画像が読み出され、ＬＣＤ上にインデックス画像として、マトリクス状に撮影済の画像が表示される。
【００４９】
このとき、ＣＣＤ−ｒａｗファイル形式においては、表示用画像ブロック領域７０の一部として設けたサムネイル画像領域からサムネイル画像が読み出されることになる。
【００５０】
また、１画像再生モードが選択された場合においても、ＪＰＥＧファイル形式で記録されている場合には、主画像領域６６から圧縮された画像データが読み出され、圧縮／伸長部１０８において伸長され、フレームメモリ１１０に展開した後に、ＬＣＤ３８に表示される。一方、ＣＣＤ−ｒａｗファイル形式で記録されている場合には、前記表示用画像ブロック領域７０の再生画像領域６６から圧縮された画像データが読み出され、圧縮／伸長部１０８において伸長され、フレームメモリ１１０に展開した後に、ＬＣＤ３８に表示される。
【００５１】
以上説明したように、本実施の形態では、記録モードをＣＣＤ−ｒａｗとして撮影したときに、ＣＣＤ−ｒａｗファイル形式の一部の領域に、ＪＰＥＧファイル形式でメモリカード５８に記録する構造と同様の構造の表示用画像ブロック領域７０を設け、ＬＣＤ２８への再生表示専用の画像データとして利用するようにしたため、ＬＣＤ２８へ再生表示する度に、ＣＣＤ−ｒａｗデータ（生画像デー）読出し、信号処理部１０４で実行するような処理を行わう必要がなくなり、迅速に再生が可能となる。また、その分、制御の負担も軽くなる。
【００５２】
【発明の効果】
以上説明した如く本発明では、撮影した画像データを生画像データとして記録媒体に記録する生画像記録制御機能を適用したときに、併せて圧縮画像記録制御機能を適用して圧縮画像データを再生時の画像データ用として作成しておくことで、画像再生時の制御負担を軽減することができるという優れた効果を有する。
【図面の簡単な説明】
【図１】本実施の形態に係るデジタルカメラの制御ブロック図である。
【図２】デジタルカメラの外観を背面側から見た斜視図である。
【図３】セットアップ画面正面図である。
【図４】ＪＰＥＧデータのファイル構造を示す模式図である。
【図５】ＣＣＤ−ｒａｗデータのファイルム構造を示す模式図である。
【符号の説明】
１０    デジタルカメラ
１６    バス
１８    撮像部
１８Ｂ    ＣＣＤ
２０    ＣＰＵ
３８    ＬＣＤ
５４    セットアップ画面
５８    メモリカード（記録媒体）
６８    ヘッダブロック領域
７０    表示用画像ブロック領域
７４    ＣＣＤ−ｒａｗ画像ブロック領域
１０２    ＣＣＤ−ｒａｗデータ格納部
１０４    信号処理部
１０６    Ａ／Ｄ変換部
１０８    圧縮／伸長部
【図１】
0003971201.tif 000002
【図２】
0003971201.tif 000003
【図３】
0003971201.tif 000004
【図４】
0003971201.tif 000005
【図５】
0003971201.tif 000006